(57)【特許請求の範囲】
【請求項１】
上部構造物に取付けられる上沓と下部支持構造物に取付けられる下沓との間に、ゴム状弾性支承体を介在させて設置して成る橋梁用滑りゴム支承装置において、前記ゴム状弾性支承体の上面に中間プレートを固定し、この摺接する中間プレートと上沓との間に、中間プレート及び上沓が橋軸方向にのみに摺動移動するように規制する規制手段を、中間プレートと上沓との間に橋軸方向に沿ってキー溝を穿設し、該キー溝に剪断キーを嵌合させることにより設け、前記ゴム状弾性支承体の橋軸方向と直交する方向の両側部に、前記上沓と中間プレートとを上下に挟む断面コ字状の係止部材を有して上沓の上下動を規制する規制ブロックを設け、下沓上に立設固定された該規制ブロックを構成するブロック部材によりゴム状弾性支承体の橋軸方向と直交する方向への移動を防止するように構成した橋梁用滑りゴム支承装置。
【請求項２】
前記上沓と中間プレートとの摺動面に、低摩擦部材を介在させた請求項１に記載の橋梁用滑りゴム支承装置。
【発明の詳細な説明】
【０００１】
【発明の属する技術分野】
この発明は、橋梁用滑りゴム支承装置に係わり、更に詳しくは地震時における橋軸方向と直交する方向へかかる水平力を、ゴム状弾性支承体の変形により徐々に伝達させると共に減衰させ、橋梁の下部支持構造物への応力負担を軽減させることを可能とした橋梁用滑りゴム支承装置に関するものである。
【０００２】
【従来の技術】
従来、コンクリート製橋桁等の上部構造物と橋台や橋脚等の下部支持構造物との間にゴム状弾性支承体を設置し、上部構造物からの振動エネルギーや、横揺れ，及び上部構造物の伸縮等を吸収緩和するように構成している。
ところで、従来の橋梁用滑りゴム支承装置は、橋軸方向（橋桁の長手方向）には上沓（上部金属プレート）とゴム状弾性支承体の上面とのスライドにより移動可能であり、また橋軸方向と直交する方向（橋桁の幅方向）には、下沓（下部金属プレート）に取付けられたサイドブロックにより移動を規制させているのが一般的である。
【０００３】
【発明が解決しようとする課題】
然しながら、上記のような構造の滑りゴム支承装置は、橋軸方向と直交する方向の水平力は、サイドブロックと上沓とが衝突するので、橋脚または橋台への衝撃的な力となって伝達されるため、瞬間的には過大な力が作用する恐れがあり、サイドブロックが破壊して上部構造物が落下したり、橋脚または橋台が破損すると言う問題があった。
【０００４】
この発明は、かかる従来の課題に着目して案出されたもので、簡単な構成により、地震時における橋軸方向と直交する方向へかかる水平力を、ゴム状弾性支承体の変形により徐々に伝達させると共に減衰させ、橋梁の下部支持構造物への応力負担を軽減させることを可能とし、更に上下方向の振動に対しても上沓を保持して上部構造物が脱落するのを有効に防止させた橋梁用滑りゴム支承装置を提供することを目的とするものである。
【０００５】
【課題を解決するための手段】
この発明は上記目的を達成するため、ゴム状弾性支承体の上面に中間プレートを固定し、この摺接する中間プレートと上沓との間に、中間プレート及び上沓が橋軸方向にのみに摺動移動するように規制する規制手段を、中間プレートと上沓との間に橋軸方向に沿ってキー溝を穿設し、該キー溝に剪断キーを嵌合させることにより設け、前記ゴム状弾性支承体の橋軸方向と直交する方向の両側部に、前記上沓と中間プレートとを上下に挟む断面コ字状の係止部材を有して上沓の上下動を規制する規制ブロックを設け、下沓上に立設固定された該規制ブロックを構成するブロック部材によりゴム状弾性支承体の橋軸方向と直交する方向への移動を防止するように構成したことを要旨とするものである。
【０００６】
また前記上沓と中間プレートとの摺動面には、ステンレス板及びポリテトラフルフロエチレン（ＰＴＦＥ）等の低摩擦部材を介在させることも可能である。
この発明は上記のように構成され、中間プレートと上沓との間に、中間プレート及び上沓が橋軸方向にのみ移動するように規制する規制手段を設け、前記ゴム状弾性支承体の橋軸方向と直交する方向の両側部に、上沓の上下動を規制する規制ブロックを設けることで、地震時における橋軸方向と直交する方向へかかる水平力を、ゴム状弾性支承体の変形により徐々に伝達させると共に減衰させ、橋梁の下部支持構造物への応力負担を軽減させることを可能とし、更に上下方向の振動に対しても上沓を保持して上部構造物が脱落するのを有効に防止させことが出来るものである。
【０００７】
【発明の実施の形態】
以下、添付図面に基づき、この発明の実施形態を説明する。
図１は、この発明の一実施形態を示す橋軸方向と直交する方向（橋桁の幅方向）の橋梁端部に用いる橋梁用滑りゴム支承装置の半断面図、図２は図１の平面図、図３は橋軸方向（橋桁の長手方向）の橋梁端部に用いる橋梁用滑りゴム支承装置の半断面図を示し、前記橋梁用滑りゴム支承装置は、コンクリート製橋桁等の上部構造物１に取付けられた上沓２（上部金属プレート）と橋台や橋脚等の下部支持構造物３に取付けられた下沓４（下部金属プレート）との間に、複数枚の鋼板５と未加硫ゴムシート６とを積層させて一体的に形成したゴム状弾性支承体７が設置されている。
【０００８】
前記ゴム状弾性支承体７の上面には、加硫接着またはボルト等の図示しない締結部材を介して中間プレート８が固定され、この中間プレート８と上沓２との間には、中間プレート８及び上沓２が橋軸方向（図のＹ方向）にのみ移動するように規制する規制手段９が設けてある。即ち、地震時における橋軸方向と直交する方向（図のＸ方向）へかかる水平力により中間プレート８及び上沓２が橋軸方向と直交する方向（図のＸ方向）へ移動するのを規制手段９により規制している。
【０００９】
この規制手段９は、中間プレート８と上沓２との摺接面中央には、橋軸方向（図のＹ方向）に沿ってキー溝１０が穿設され、このキー溝１０に剪断キー１１が嵌合されている。また、ゴム状弾性支承体７の下面に取付けられた下部プレート１２と下沓４との摺接面中央にも、キー溝１３を介して剪断キー１４が嵌合されている。
【００１０】
また、中間プレート８と上沓２との摺接面には、円滑にスライドするようにステンレス板１５ａとポリテトラフルフロエチレン（ＰＴＦＥ）１５ｂとから成る低摩擦部材１５が設けられている。
前記ゴム状弾性支承体７の橋軸方向と直交する方向の両側部には、上沓２の上下動を規制する規制ブロック１６が設けられ、この規制ブロック１６の下沓４上に立設固定されたブロック部材１６ａは、常時あるいは軽微な地震動に対してゴム状弾性支承体７の橋軸方向と直交する方向への移動を防止するため（またはジョイント部の保護）に設けられ、大地震時に対しては破壊してしまうように設計されている。
【００１１】
また、断面コ字状の係止部材１６ｂは、上沓２の両側縁部２ａを上から覆うように係止させて固定するものである。
この発明は上記のように構成され、中間プレート８と上沓２との間に、中間プレート８及び上沓２が橋軸方向（図のＹ方向）にのみ移動するように規制する規制手段９を設け、また、ゴム状弾性支承体７の橋軸方向と直交する方向（図のＸ方向）の両側部に、上沓２の上下動を規制する規制ブロック１６を設けることで、地震時における橋軸方向と直交する方向（図のＸ方向）へかかる水平力を、ゴム状弾性支承体７の変形により徐々に伝達させると共に減衰させ、橋梁の下部支持構造物３への応力負担を軽減させることが出来るものである。
【００１２】
また、地震時の上下方向の振動に対しても断面コ字状の係止部材１６ｂで固定して保持することで、上部構造物１が脱落するのを有効に防止させている。
【００１３】
【発明の効果】
この発明は、上記のようにゴム状弾性支承体の上面に中間プレートを固定し、摺接する中間プレートと上沓との間に、中間プレート及び上沓が橋軸方向にのみ摺動移動するように規制する規制手段を、中間プレートと上沓との間に橋軸方向に沿ってキー溝を穿設し、該キー溝に剪断キーを嵌合させることにより設け、前記ゴム状弾性支承体の橋軸方向と直交する方向の両側部に、前記上沓と中間プレートとを上下に挟む断面コ字状の係止部材を有して上沓の上下動を規制する規制ブロックを設け、下沓上に立設固定された該規制ブロックを構成するブロック部材によりゴム状弾性支承体の橋軸方向と直交する方向への移動を防止するように構成したので、簡単な構成により、地震時における橋軸方向と直交する方向へかかる水平力を、ゴム状弾性支承体の変形により徐々に伝達させると共に減衰させ、橋梁の下部支持構造物への応力負担を軽減させることが出来、また上下方向の振動に対しても上沓を保持して上部構造物が脱落するのを有効に防止させることが出来る効果がある。
【図面の簡単な説明】
【図１】この発明の一実施形態を示す橋軸方向と直交する方向の橋梁端部に用いる橋梁用滑りゴム支承装置の半断面図である。
【図２】図１の平面図である。
【図３】橋軸方向の橋梁端部に用いる橋梁用滑りゴム支承装置の半断面図である。
【符号の説明】
１  上部構造物                      ２  上沓
３  下部支持構造物                  ４  下沓
５  鋼板                            ６  未加硫ゴムシート
７  ゴム状弾性支承体                ８  中間プレート
９  規制手段                      １０  キー溝
１１  剪断キー                      １２  下部プレート
１３  キー溝                        １４  剪断キー
１５  低摩擦部材                  １５ａ  ステンレス板
１５ｂ  ポリテトラフルフロエチレン（ＰＴＦＥ）
１６  規制ブロック                １６ａ  ブロック部材
１６ｂ  係止部材                      ２ａ  上沓の両側縁部
【図１】
0003945853.tif 000002
【図２】
0003945853.tif 000003
【図３】
0003945853.tif 000004